(57)【特許請求の範囲】
【請求項１】
前蓋と後蓋とを連結部によって折れ曲がり可能に連結して鍵盤蓋を構成し、この鍵盤蓋で楽器ケース内に設けられた鍵盤部を開閉自在に覆う鍵盤蓋の開閉機構において、
前記鍵盤蓋を開くときに前記前蓋の前部を前記鍵盤部に沿って後方に向けてガイドする第１ガイド部と、
前記鍵盤蓋を開くときに前記連結部で折れ曲がる前記後蓋の前部を前記鍵盤部に沿って後方に向けてガイドすると共に、前記後蓋の後部を前記鍵盤部の後方から斜め下方に向けてガイドして前記後蓋を起立させる第２ガイド部と
を備えたことを特徴とする鍵盤蓋の開閉機構。
【請求項２】
前記第２ガイド部は、前記鍵盤蓋を開くときに、前記後蓋の前部を前記鍵盤部に沿ってほぼ同じ高さで後方に向けてガイドする前側ガイド部材と、前記後蓋の後部を前記鍵盤部の後方から斜め下方に向けてガイドして前記後蓋を起立させる後側ガイド部材とを備えていることを特徴とする請求項１に記載の鍵盤蓋の開閉機構。
【請求項３】
前記第２ガイド部には、前記後蓋の後部が斜め下方向に向けて移動するときに前記後蓋の傾きを規制して前記後蓋の前部の上下位置を規制する傾き規制部が設けられていることを特徴とする請求項１または２に記載の鍵盤蓋の開閉機構。
【請求項４】
前記鍵盤蓋を開いて前記後蓋が起立するときの前記後蓋の衝撃を吸収して前記後蓋の後端部を保持するダンパー部材を備えていることを特徴とする請求項１〜３のいずれに記載の鍵盤蓋の開閉機構。
【請求項５】
前記第１ガイド部の前部には、前記鍵盤蓋を閉じるときに前記前蓋の衝撃を緩和する緩衝機能部が設けられていることを特徴とする請求項１〜４のいずれかに記載の鍵盤蓋の開閉機構。
【請求項６】
前記後蓋の後部には、前記鍵盤蓋を閉じたときに前記後蓋の後部と前記楽器ケースの上部との間の隙間を塞ぐ防護部材が設けられていることを特徴とする請求項１〜５のいずれに記載の鍵盤蓋の開閉機構。
【発明の詳細な説明】
【技術分野】
【０００１】
この発明は、電子ピアノなどの鍵盤楽器における鍵盤蓋の開閉機構に関する。
【背景技術】
【０００２】
従来、鍵盤楽器においては、特許文献１に記載されているように、楽器ケースのコンパクト化を図るために、鍵盤蓋を前蓋と後蓋とに分割し、この前蓋と後蓋とを連結部で折れ曲がり可能に連結して鍵盤蓋を構成し、この鍵盤蓋で楽器ケース内に設けられた鍵盤部を開閉自在に覆うように構成することにより、鍵盤蓋を開いて鍵盤部を露呈させたときに、前蓋と後蓋とが連結部で折れ曲がって楽器ケース内に収納され、また鍵盤蓋を楽器ケース内から引き出して閉じたときに、前蓋と後蓋とがほぼ平板状に連続して鍵盤部の上方を覆うように構成したものがある。
【特許文献１】特開平１０−１９８３３９号
【０００３】
このような鍵盤楽器における鍵盤蓋の開閉機構は、鍵盤蓋を楽器ケース内に収納するときに、前蓋を鍵盤部の前側から後側に向けて移動させると、後蓋が連結部で折れ曲がりながら鍵盤部の後方に向けて移動し、前蓋が楽器ケース内に収納されたときに、後蓋の後端部が下がって後蓋が起立した状態で収納されるのであるが、後蓋が連結部で折れ曲がるときに、前蓋の後部が不安定な状態になるため、前蓋の後部を補助機構で支持するように構成されている。
【０００４】
すなわち、この補助機構は、楽器ケース内に前蓋の後部を支持する支持板を前後方向に回動可能に起立させて設け、前蓋が開く方向に移動して後蓋が連結部で折れ曲がり始めたときに、支持板の上端部で前蓋の後部を支持し、この状態で更に前蓋が開く方向に移動するときに、その移動に伴って支持板が後方に回動しながら前蓋の後部を支持し続けることにより、前蓋の後部の下がりを規制し、また鍵盤蓋を閉じるときにも、前蓋の移動に伴って支持板が前蓋の後部を支持した状態で上記とは逆の前方に向けて回動しながら前蓋の後部を支持し続け、鍵盤蓋が完全に閉じるときに支持板が前蓋から離れるように構成されている。
【発明の開示】
【発明が解決しようとする課題】
【０００５】
しかしながら、このような従来の鍵盤蓋の開閉機構では、鍵盤蓋を楽器ケース内に収納するときに、前蓋の動作に伴って前蓋の後部を可動部である補助機構で支持しなければならず、またこの補助機構の支持板が後蓋の移動を妨げないように、支持板を楽器ケース内に回動可能に設ける必要があるばかりか、鍵盤蓋を開閉動作させるときに前蓋の後部を常に支持板で支持し、鍵盤蓋を閉じたときに支持板が前蓋から離れるように構成しなければならない。
【０００６】
このため、この従来の鍵盤蓋の開閉機構では、補助機構の支持板の取付位置やその組立時に微妙な精度が要求されるばかりか、補助機構の設置場所および補助機構の動作範囲を確保する必要があるため、楽器ケース内に補助機構を設置するための広いスペースが必要となり、これに伴って楽器ケース全体が大型化するという問題がある。特に、補助機構の支持板で前蓋の後部を支持することで、鍵盤蓋全体の動作軌道を作っているため、鍵盤蓋を分割する際、前蓋を後蓋よりも長く構成しなければならず、このため前蓋の前後方向の移動距離が長くなり、これによっても楽器ケース全体が大型化するという問題がある。
【０００７】
この発明が解決しようとする課題は、簡単な構造で、鍵盤蓋を円滑に開閉することができると共に、楽器ケースのより一層の小型化を図ることができる鍵盤蓋の開閉機構を提供することである。
【課題を解決するための手段】
【０００８】
この発明は、上記課題を解決するために、次のような構成要素を備えている。
なお、各構成要素には、後述する実施形態の項で説明される各要素に付されている図面の参照番号などを括弧と共に付す。
【０００９】
請求項１に記載の発明は、図１〜図１０に示すように、前蓋（１２）と後蓋（１３）とを連結部（蝶番１４）によって折れ曲がり可能に連結して鍵盤蓋（３）を構成し、この鍵盤蓋で楽器ケース（１）内に設けられた鍵盤部（２）を開閉自在に覆う鍵盤蓋の開閉機構において、
前記鍵盤蓋を開くときに前記前蓋の前部（１２ａ）を前記鍵盤部に沿って後方に向けてガイドする第１ガイド部（１５）と、
前記鍵盤蓋を開くときに前記連結部で折れ曲がる前記後蓋の前部（１３ａ）を前記鍵盤部に沿って後方に向けてガイドすると共に、前記後蓋の後部（１３ｂ）を前記鍵盤部の後方から斜め下方に向けてガイドして前記後蓋を起立させる第２ガイド部（１６）と
を備えたことを特徴とする鍵盤蓋の開閉機構である。
【００１０】
請求項２に記載の発明は、図１〜図９に示すように、前記第２ガイド部（１６）が、前記鍵盤蓋（３）を開くときに前記後蓋（１３）の前部（１３ａ）を前記鍵盤部（２）に沿ってほぼ同じ高さで後方に向けてガイドする前側ガイド部材（２３）と、前記後蓋の後部（１３ｂ）を前記鍵盤部の後方から斜め下方に向けてガイドして前記後蓋を起立させる後側ガイド部材（２４）とを備えていることを特徴とする請求項１に記載の鍵盤蓋の開閉機構である。
【００１１】
請求項３に記載の発明は、図１〜図９に示すように、前記第２ガイド部（１６）には前記後蓋（１３）の後部（１３ｂ）が斜め下方向に向けて移動するときに前記後蓋の傾きを規制して前記後蓋の前部（１３ａ）の上下位置を規制する傾き規制部（２５）が設けられていることを特徴とする請求項１または２に記載の鍵盤蓋の開閉機構である。
【００１２】
請求項４に記載の発明は、図１〜図９に示すように、前記鍵盤蓋（３）を開いて前記後蓋（１３）が起立するときの前記後蓋の衝撃を吸収して前記後蓋の後端部を保持するダンパー部材（１８）を備えていることを特徴とする請求項１〜３のいずれに記載の鍵盤蓋の開閉機構である。
【００１３】
請求項５に記載の発明は、図１〜図１０に示すように、前記第１ガイド部（１５）の前部に、前記鍵盤蓋（３）を閉じるときの前記前蓋（１２）の衝撃を緩和する緩衝機能部（トーションばね３６、ほぼＶ字形状の溝部４０および緩衝材４１）が設けられていることを特徴とする請求項１〜４のいずれかに記載の鍵盤蓋の開閉機構である。
【００１４】
請求項６に記載の発明は、図１〜図９に示すように、前記後蓋（１３）の後部（１３ｂ）に、前記鍵盤蓋（３）を閉じたときに前記後蓋の後部と前記楽器ケース（１）の上部（天板８）との間の隙間を塞ぐ防護部材（３８）が設けられていることを特徴とする請求項１〜５のいずれに記載の鍵盤蓋の開閉機構である。
【発明の効果】
【００１５】
請求項１に記載の発明によれば、前蓋と後蓋とが連結部で折れ曲がり可能に連結された鍵盤蓋を開くときに、第１ガイド部が前蓋の前部を楽器ケース内の鍵盤部に沿って後方に向けてガイドすると共に、第２ガイド部が後蓋の前部を鍵盤部に沿って後方に向けてガイドしながら、後蓋の後部を鍵盤部の後方から斜め下方に向けてガイドして後蓋を起立させるので、鍵盤蓋を開く際、第２ガイド部によって後蓋の前部の下がりを規制することができ、これにより後蓋の前部に連結部で連結された前蓋の後部の下がりをも規制することができるので、前蓋に対して後蓋を連結部で折り曲げながら円滑に且つ良好に起立させることができる。
【００１６】
このため、鍵盤蓋が前蓋と後蓋とを連結部で折れ曲がり可能に連結した構成であっても、従来例の補助機構のような可動部を必要とせず、第２ガイド部で前蓋の前部をガイドする簡単な構造で、鍵盤蓋の開閉時に前蓋の後部の下がりを防いで、鍵盤蓋を安定した状態で円滑に開閉することができる。この場合、鍵盤蓋を開くときに、第２ガイド部によって後蓋を傾けながら斜め下方にガイドして起立させた安定状態で楽器ケース内に良好に収納することができるので、前蓋と後蓋とをほぼ同じ大きさ、あるいは前蓋を後蓋よりも短く形成することができる。このため、前蓋と後蓋との前後方向への移動距離を短くすることができると共に、前蓋と後蓋とを楽器ケース内にコンパクトに収納することができ、これにより楽器ケース全体のより一層の小型化を図ることができる。
【００１７】
請求項２に記載の発明によれば、第２ガイド部が、鍵盤蓋を開くときに後蓋の前部を鍵盤部に沿ってほぼ同じ高さで後方に向けてガイドする前側ガイド部材と、後蓋の後部を鍵盤部の後方から斜め下方に向けてガイドして後蓋を起立させる後側ガイド部材とを備えていることにより、鍵盤蓋を開くときに前側ガイド部材が後蓋の前部を鍵盤部に沿ってほぼ同じ高さで後方に向けてガイドするので、連結部で連結された前蓋の後部の下がりを確実に防ぐことができ、この状態で後側ガイド部材が後蓋の後部を鍵盤部の後方から斜め下方に向けてガイドして後蓋を起立させるので、前蓋に対して後蓋を連結部で徐々に折り曲げながら起立させることができ、これにより後蓋を円滑に且つ良好に楽器ケース内に起立させることができる。
【００１８】
請求項３に記載の発明によれば、第２ガイド部に、後蓋の後部が斜め下方向に向けて移動するときに後蓋の傾きを規制して後蓋の前部の上下位置を規制する傾き規制部が設けられていることにより、鍵盤蓋を開くときに、傾き規制部によって後蓋の傾きを規制することができるので、後蓋が連結部で徐々に折れ曲がるときにも、後蓋の前部の下がりを規制することができ、これにより後蓋の前部が第２ガイド部の前側ガイド部材から離脱しても、後蓋の前部に連結された前蓋の後部の下がりを確実に防ぐことができる。
【００１９】
このため、鍵盤蓋を開くときに、前蓋の後部と後蓋の前部との上下位置を傾き規制部が規制しているので、前蓋と後蓋とが連結部で折れ曲がり可能に連結されていても、鍵盤蓋を開くときに、後蓋の前部と前蓋の後部との下がりを防ぎながら良好に鍵盤蓋を開閉することができる。この場合、特に傾き規制部が所定の高さ位置に設置されていることにより、後蓋の前部が上がり過ぎて前蓋が楽器ケースの上部に当接したり、また後蓋の前部が下がり過ぎて後蓋や前蓋が鍵盤部に当接したりするのを防ぐことができ、これにより正確に且つ良好に鍵盤蓋を開閉することができる。
【００２０】
請求項４に記載の発明によれば、鍵盤蓋を開いて後蓋が起立するときの後蓋の衝撃を吸収して後蓋の後部側を保持するダンパー部材を備えていることにより、鍵盤蓋を開いて後蓋を斜め下方に移動させて起立させるときに、後蓋が次第に重くなって急速に移動するのをダンパー部材によって防ぐことができ、これにより後蓋の衝撃を吸収することができる。また、後蓋が起立した状態で収納されていても、この後蓋を引き上げながら鍵盤蓋を閉じるときに、ダンパー部材の反力によって後蓋を軽い力で引き上げることができ、これにより鍵盤蓋を常にほぼ一定の力で安定した状態で開閉させることができるので、安全性が高く、使い勝手の良いものを得ることができる。
【００２１】
請求項５に記載の発明によれば、第１ガイド部の前部に、鍵盤蓋を閉じるときの前蓋の衝撃を緩和する緩衝機能部が設けられていることにより、鍵盤蓋が完全に閉まるときに、緩衝機能部によって前蓋の衝撃を緩和することができるので、前蓋が急激に閉じるのを防ぐことができ、これにより前蓋の前部で手や指を挟むことがなく、安全に鍵盤蓋を閉じることができる。
【００２２】
請求項６に記載の発明によれば、後蓋の後部に、鍵盤蓋を閉じたときに後蓋の後部と楽器ケースの上部との間の隙間を塞ぐ防護部材が設けられていることにより、鍵盤蓋を閉じた状態のときに、後蓋の後部と楽器ケースの上部との間の隙間を防護部材で塞ぐことができるので、ごみなどの異物が楽器ケース内に侵入するのを防ぐことができる。
【発明を実施するための最良の形態】
【００２３】
以下、図１〜図９を参照して、この発明を鍵盤楽器に適用した一実施形態について説明する。
この鍵盤楽器は、図１〜図４に示すように、楽器ケース１内の前側（図１では左側）に鍵盤部２が配置され、この鍵盤部２の上側に鍵盤蓋３が開閉自在に設けられた構成になっている。
【００２４】
楽器ケース１は、図１〜図４に示すように、底板４を備えている。この底板４の前端部（図１では左端部）には、前板５が立設されており、この底板４の後端部（図１では右端部）には、後板６が立設されている。また、底板４の両側部（図１では紙面の表裏面方向）には、側板７がそれぞれ立設されており、これら側板７の上部における後部間（図１では右側部間）には、天板８が後板６の上端部に載置されて設けられている。これにより、楽器ケース１は、前板５と天板８との間が上方に開放され、この開放された部分から鍵盤部２を上側に露出させるように構成されている。
【００２５】
鍵盤部２は、図１〜図４に示すように、白鍵および黒鍵などの鍵１０を鍵盤シャーシ１１上に複数配列したものであり、この複数の鍵１０が前板５と天板８との間に位置して上側外部に露呈した状態で、楽器ケース１内の底板４上に設けられている。また、鍵盤蓋３は、図１〜図５に示すように、前蓋１２と後蓋１３とに分割され、この前蓋１２と後蓋１３とが連結部である蝶番１４によって折れ曲がり可能に連結され、この状態で楽器ケース１内の上部側に前後方向（図１では左右方向）に移動可能に設けられ、これにより鍵盤部２を開閉自在に覆うように構成されている。
【００２６】
すなわち、この鍵盤蓋３の開閉機構は、図１〜図５に示すように、鍵盤蓋３を開閉するときに前蓋１２の前部１２ａを鍵盤部２に沿って前後方向にガイドする第１ガイド部１５と、鍵盤蓋３を開くときに後蓋１３の前部１３ａを鍵盤部２に沿ってほぼ同じ高さで後方(図１では右方)に向けてガイドすると共に、前記後蓋１３の後部１３ｂを鍵盤部２の後方から斜め下方に向けてガイドして後蓋１３を起立させる第２ガイド部１６とを備えているほか、この第２ガイド部１６に設けられて後蓋１３が起立するときに図２〜図４に示すように後蓋１３の後部側（つまり後述する後蓋１３のピニオン軸３１）を弾力的に保持するダンパー部材１８を備えている。
【００２７】
この場合、第１、第２ガイド部１５、１６は、図５に示すように、両者に共通のガイド部材１７を備えている。このガイド部材１７は、図１〜図５に示すように、楽器ケース１の両側に位置する側板７の内面にそれぞれ設けられている（図１〜図５では片方のみを示す）。第１ガイド部１５は、図１〜図５に示すように、前蓋１２の前部１２ａに設けられた第１ガイド軸部２０と、楽器ケース１の両側に設けられたガイド部材１７にそれぞれ設けられて第１ガイド軸部２０の両端を鍵盤部２に沿って前後方向にガイドする第１ガイド溝部２１とを備えている。
【００２８】
第１ガイド軸部２０は、図１〜図５に示すように、前蓋１２の前端部に設けられたフロントカバー２２の下端部に設けられ、その両側が前蓋１２の両側から突出し、この突出した各端部２０ａがそれぞれ第１ガイド溝部２１に挿入して移動するように構成されている。第１ガイド溝部２１は、図１〜図５に示すように、第１ガイド軸部２０の端部２０ａが移動自在に挿入する溝部であり、鍵盤部２の前端部から立上って鍵盤部２の上部に沿ってその後端部に亘り緩やかに湾曲して設けられている。
【００２９】
第２ガイド部１６は、図１〜図５に示すように、鍵盤蓋２を開くときに、後蓋１３の前部１３ａを鍵盤部２に沿ってほぼ同じ高さで後方に向けてガイドする前側ガイド部材２３と、後蓋１３の後部１３ｂを鍵盤部２の後方から斜め下方に向けてガイドして後蓋１３を起立させる後側ガイド部材２４とを備えているほか、後蓋１３が斜め下方向に向けて移動するときに、後蓋１３の傾きを規制して後蓋１３の前部１３ａの上下位置を規制する傾き規制部２５とを備えている。
【００３０】
前側ガイド部材２３は、図１〜図５に示すように、後蓋１３の前部１３ａに設けられた第２ガイド軸部２６と、楽器ケース１内の両側に位置するガイド部材１７にそれぞれ設けられて第２ガイド軸部２６の両端を鍵盤部２に沿って前後方向にガイドする第２ガイド溝部２７とを備えている。この場合、第２ガイド軸部２６は、図１〜図５に示すように、後蓋１３の前部１３ａの下面に設けられ、その両側が後蓋１３の両側から突出し、この突出した各端部２６ａがそれぞれ第２ガイド溝部２７に挿入して移動するように構成されている。第２ガイド溝部２７は、図５に示すように、第２ガイド軸部２６の端部２６ａが移動自在に挿入する溝部であり、ガイド部材１７に鍵盤部２のほぼ中間部から鍵盤部２の後端部に亘って第１ガイド溝部２１とほぼ平行に設けられている。
【００３１】
後側ガイド部材２４は、図１〜図６に示すように、後蓋１３の後端部（図１では右端部）に取付板（図示せず）を介して設けられたピニオン軸３１と、このピニオン軸３１の両端に設けられたピニオン２８と、楽器ケース１の両側に位置するガイド部材１７に斜め上下方向に湾曲して設けられてピニオン２８が噛み合って転動するラック２９と、このラック２９に沿って転動するピニオン２８のピ二オン軸３１を斜め上下方向にガイドして後蓋１３を起立させるためのピニオンガイド溝部３０とを備えている。
【００３２】
この場合、このピニオン軸３１は、図１〜図５に示すように、後蓋１３の後端部に取り付けられた取付板（図示せず）に回転自在に取り付けられており、ピニオン２８は、ピニオン軸３１の両端部に設けられている。ラック２９は、図１〜図５に示すように、ピニオン２８が噛み合う歯部が鍵盤部２の後部に対応する上部側から鍵盤部２の後方に沿って円弧状に湾曲し、その下部側が鍵盤部２の後部下方に向けてほぼ垂直になるように形成されている。ピニオンガイド溝部３０は、図１〜図５に示すように、ピニオン軸３１の各端部３１ａが移動自在に挿入する溝であり、ラック２９に沿う曲線状に形成されている。
【００３３】
また、傾き規制部２５は、図５および図６に示すように、後側ガイド部材２４のラック２９の所定位置、つまりラック２９の上下方向のほぼ中間部における所定の高さ位置に設けられた半円形状の滑り突起であり、鍵盤蓋３を開閉させて後蓋１３が傾きながら斜め上下方向に向けて移動するときに、鍵盤部２に対向する後蓋１３の内面が当接し、この状態で後蓋１３が摺動することにより、後蓋１３の傾きを規制するように構成されている。
【００３４】
すなわち、この傾き規制部２５は、その設置位置が図８に示すようにラック２９の所定位置よりも高い位置Ｓ１に設けられていると、後蓋１３が傾きながら斜め上下方に向けて移動するときに、後蓋１３の前部１３ａが高くなり過ぎて、前蓋１２の後部１２ｂが楽器ケース１の天板８に接触する。また逆に、この傾き規制部２５は、その設置位置が図９に示すようにラック２９の所定位置よりも低い位置Ｓ２に設けられていると、後蓋１３が傾きながら斜め上下方に向けて移動するときに、後蓋１３の前部１３ａが下がり過ぎて、後蓋１３や前蓋１２が鍵盤部２の後部側に接触する。これらを考慮して、この実施形態の傾き規制部２５は、ラック２９の所定の高さ位置に設けられている。
【００３５】
一方、ダンパー部材１８は、後蓋１３が傾きながら斜め下方に向けて移動するときに、ピニオン軸３１が当接することにより、図２〜図４に示すように、後蓋１３の移動を弾力的に規制し、後蓋１３が起立したときにその移動を停止させて後蓋１３の後端部を回動可能に保持するように構成されている。すなわち、このダンパー部材１８は、鍵盤部２の後方に位置する楽器ケース１の底板４上に設けられた固定部材３２と、この固定部材３２の上部に取付ピン３３によって上下方向に回動可能に取り付けられたアーム部３４と、取付ピン３３の外周に巻き付けられてアーム部３４を上方に向けて回動させるように付勢するコイルばね３５とからなり、このコイルばね３５のばね力によってアーム部３４の先端がピニオン軸３１を押し上げる方向に弾力的に当接することにより、後蓋１３の重量を軽減するように構成されている。
【００３６】
ところで、第１ガイド部１５の前端部には、図７に示すように、鍵盤蓋３を閉じるときの前蓋１２の衝撃を緩和するトーションばね３６が設けられている。このトーションばね３６は、楽器ケース１内のガイド部材１７内に設けられた空洞部３７内に配置され、そのトーションばね３６の先端部が第１ガイド部１５の第１ガイド溝部２１の下部側面に設けられた上下方向に細長い開口部１７ａから第１ガイド溝部２１内に突出し、この突出したトーションばね３６の先端部が第１ガイド軸部２０の下側に弾接することにより、鍵盤蓋３を閉じるときの前蓋１２の衝撃を緩和するように構成されている。
【００３７】
また、後蓋１３の後端部には、図１〜図５に示すように、鍵盤蓋３を閉じたときに後蓋１３の後部１３ｂと楽器ケース１の天板８との間を塞ぐ防護部材３８が設けられている。この防護部材３８は、ゴムなどの弾性材料からなり、断面形状がほぼコ字形状に形成され、このほぼコ字形状の内部に後蓋１３の後部１３ａが挿入して防護部材３８の一端部が後蓋１３の外面側に突出した状態で取り付けられ、この突出した一端部が鍵盤蓋３を閉じたときに天板８の下面に弾接するように構成されている。
【００３８】
次に、図１〜図４を参照して、この鍵盤蓋３の開閉動作について説明する。
まず、図１に示すように、鍵盤蓋３を閉じた状態のときには、前蓋１２と後蓋１３とが蝶番１４でほとんど折れ曲がることがなく、ほぼ平板状に連続した状態で鍵盤部２の上方を覆う。このときには、前蓋１２の前部１２ａに設けられた第１ガイド部１５の第１ガイド軸部２０の端部２０ａが第１ガイド溝部２１の前端部に位置し、この第１ガイド軸部２０にトーションばね３６の先端部が下側から弾接している。
【００３９】
また、このときには、後蓋１３の前部１３ａに設けられた第２ガイド部１６における前側ガイド部材２３の第２ガイド軸部２６が、図１に示すように、第２ガイド溝部２７の前端部に位置し、後蓋１３の後部１３ｂに設けられた第２ガイド部１６における後側ガイド部材２４のピニオン２８がラック２９の上端部に位置すると共に、ピニオン軸３１の端部３１ａがピニオンガイド溝部３０の上端部に位置している。
【００４０】
この状態で、前蓋１２のフロントカバー２２を持ち上げて鍵盤蓋３を楽器ケース１内の後方に向けて押すと、図２に示すように、前蓋１２の前部１２ａに設けられた第１ガイド部１５の第１ガイド軸部２０の端部２０ａが第１ガイド溝部２１に沿って移動を開始する。これと同時に、後蓋１３の前部１３ａに設けられた第２ガイド部１６における前側ガイド部材２３の第２ガイド軸部２６が第２ガイド溝部２７に沿って移動を開始し、後蓋１３の後部１３ａに設けられた第２ガイド部１６における後側ガイド部材２４のピニオン２８がラック２９に沿って転動を開始すると共に、ピニオン軸３１の端部３１ａもピニオンガイド溝部３０に沿って移動を開始する。
【００４１】
このときには、図２に示すように、後蓋１３の前部１３ａに設けられた前側ガイド部材２３の第２ガイド軸部２６が第２ガイド溝部２７に沿って移動することにより、後蓋１３の前部１３ａが第２ガイド軸部２６と第２ガイド溝部２７とによって支持されているので、蝶番１４で連結された前蓋１２の後部１２ｂが後蓋１３の前部１３ａによって支持される。この状態では、後蓋１３が蝶番１４で折れ曲がりながら後蓋１３が後下がりに緩やかに傾斜し、図２に示すように、後蓋１３の後部１３ｂのピニオン軸３１がダンパー部材１８に弾接する。
【００４２】
この後、更に鍵盤蓋３を楽器ケース１内の後方に向けて押すと、図３に示すように、前蓋１２の前部１２ａに設けられた第１ガイド部１５における第１ガイド軸部２０の端部２０ａが第１ガイド溝部２１に沿って更に後方に移動する。これに伴って、後蓋１３の前部１３ａに設けられた第２ガイド部材１６における前側ガイド部材２３の第２ガイド軸部２６の各端部２６ａが第２ガイド溝部２７に沿って移動した後、第２ガイド溝部２７から後方に移動して離脱する。また、後蓋１３の後部１３ａに設けられた第２ガイド部１６における後側ガイド部材２４のピニオン２８がラック２９に沿って斜め下方に転動すると共に、ピニオン軸３１の端部３１ａもピニオンガイド溝部３０に沿って斜め下方に移動する。
【００４３】
このときには、図３に示すように、後蓋１３が蝶番１４で折れ曲がりながらダンパー部材１８の弾性力に抗して傾きながら斜め下方に移動し、後蓋１３の内面が傾き規制部２５に当接して支持されながら更に斜め下方に移動する。このため、後蓋１３が傾き規制部２５を支点として回転しながら斜め下方に移動するので、後蓋１３の傾きが傾き規制部２５によって規制される。これにより、後蓋１３の前部１３ａの第２ガイド軸部２６が第２ガイド溝部２７から後方に離れても、図３に示すように、後蓋１３の前部１３ａが大きく下がることがないため、前蓋１２の後部１２ｂも大きく下がることがなく、後方に向けてほぼ水平な状態で移動する。
【００４４】
そして、鍵盤蓋３が更に楽器ケース１内の後方に向けて押されると、後蓋１３の後部１３ｂに設けられたピニオン２８がラック２９の下端部に到達すると共に、ピニオン軸３１の端部３１ａがピニオンガイド溝部３０の下端部に到達し、この状態で後蓋１３の後部１３ｂに設けられたピニオン軸３１がダンパー部材１８によって弾力的に保持される。このときには、前蓋１２の前部１２ａが後方に移動しても、第１ガイド部１５の第１ガイド軸部２０の端部２０ａが第１ガイド溝部２１で支持されていると共に、前蓋１２の後部１２ｂが、起立した状態の後蓋１３の前部１３ａによって支持されているので、前蓋１２の後部１２ｂの下がりが規制される。
【００４５】
この状態で、鍵盤蓋３が更に楽器ケース１内の後方に向けて押されると、図４に示すように、ダンパー部材１８に保持されたピニオン軸３１を中心に後蓋１３が後方に向けて回動してほぼ垂直に起立する。このときには、後蓋１３がその後部１３ｂのピニオン軸３１を中心に回動するので、前蓋１２はその後部１２ｂがほとんど下がることがなく、ほぼ水平な状態で楽器ケース１内の後方に向けて移動する。これにより、前蓋１２が天板８の下側に天板８とほぼ平行に収納されると共に、後蓋１３がほぼ垂直に起立した状態で収納される。
【００４６】
また、このように収納された鍵盤蓋３を引き出して鍵盤部２を閉じるときには、図４に示すように、前蓋１２のフロントカバー２３を軽く持ち上げて引き出す。このときには、後蓋１３が起立して重くなっているが、ダンパー部材１８に支持された後蓋１３のピニオン軸３１を中心に後蓋１３が鍵盤部２側に向けて回動すると共に、ダンパー部材１８の反力によって後蓋１３が押し上げられているので、軽い力で滑らかに鍵盤蓋３を引き出すことができる。この後は、前蓋１２と後蓋１３とが上述した動作とは逆の動作を行って、図１に示すように、鍵盤蓋３が閉じて鍵盤部２の上方を覆う。
【００４７】
このように、この鍵盤蓋３の開閉機構によれば、前蓋１２と後蓋１３とが蝶番１４で折れ曲がり可能に連結された鍵盤蓋３を開くときに、第１ガイド部１５が前蓋１２の前部１２ａを楽器ケース１内の鍵盤部２に沿って後方に向けてガイドすると共に、第２ガイド部１６が後蓋１３の前部１３ａを鍵盤部２に沿って後方に向けてガイドしながら、後蓋１３の後部１３ｂを鍵盤部２の後方から斜め下方に向けてガイドして後蓋１３を起立させるので、第２ガイド部１６によって後蓋１３の前部１３ａの下がりを規制することができ、これにより後蓋１３の前部１３ａに蝶番１４で連結された前蓋１２の後部１２ｂの下がりをも規制することができるので、前蓋１２に対して後蓋１３を蝶番１４で折り曲げながら円滑に且つ良好に起立させることができる。
【００４８】
このため、鍵盤蓋３が前蓋１２と後蓋１３とを蝶番１４で折れ曲がり可能に連結した構成であっても、従来例の補助機構のような可動部を必要とせず、第２ガイド部１６で後蓋１３の前部１３ａをガイドする簡単な構造で、鍵盤蓋３の開閉時に後蓋１３の前部１３ａの下がりを規制して前蓋１２の後部１２ｂの下がりを防ぐことができ、これにより鍵盤蓋３を安定した状態で円滑に開閉することができる。
【００４９】
この場合、鍵盤蓋３を開くときに、第２ガイド部１６によって後蓋１３を傾けながら斜め下方にガイドして起立させた安定状態で楽器ケース１内に良好に収納することができるので、前蓋１２と後蓋１３とをほぼ同じ大きさ、あるいは前蓋１２を後蓋１３よりも短く形成することができる。このため、前蓋１２と後蓋１３との前後方向への移動距離を短くすることができると共に、前蓋１２と後蓋１３とを楽器ケース１内にコンパクトに収納することができ、これにより楽器ケース１全体のより一層の小型化を図ることができる。
【００５０】
特に、第２ガイド部１６は、鍵盤蓋３を開くときに後蓋１３の前部１３ａを鍵盤部２に沿ってほぼ同じ高さで後方に向けてガイドする前側ガイド部材２３と、後蓋１３の後部１３ｂを鍵盤部２の後方から斜め下方に向けてガイドして後蓋１３を起立させる後側ガイド部材２４とを備えていることにより、鍵盤蓋３を開くときに前側ガイド部材２３が後蓋１３の前部１３ａを鍵盤部２に沿ってほぼ同じ高さで後方に向けてガイドするので、蝶番１４で連結された前蓋１２の後部１２ｂの下がりを確実に防ぐことができ、この状態で後側ガイド部材２４が後蓋１３の後部１３ｂを鍵盤部２の後方から斜め下方に向けてガイドして後蓋１３を起立させるので、前蓋１２に対して後蓋１３を蝶番１４で徐々に折り曲げながら起立させることができ、これにより後蓋１３を円滑に且つ良好に楽器ケース１内に起立させることができる。
【００５１】
また、第２ガイド部１６には、後蓋１３の後部１３ｂが斜め下方向に向けて移動するときに後蓋１３の傾きを規制して後蓋１３の前部１３ａの上下位置を規制する傾き規制部２５が設けられていることにより、鍵盤蓋３を開くときに、傾き規制部２５によって後蓋１３の傾きを規制することができるので、後蓋１３が蝶番１４で徐々に折れ曲がるときにも、後蓋１３の前部１３ａの下がりを規制することができ、これにより後蓋１３の前部１３ａが第２ガイド部１６の前側ガイド部材２３から後方に離脱しても、後蓋１３の前部１３ａに連結された前蓋１２の後部１２ｂの下がりを確実に防ぐことができる。
【００５２】
このため、鍵盤蓋３を開くときに、後蓋１３の前部１３ａと前蓋１２の後部１２ｂとの上下位置を傾き規制部２５が規制しているので、前蓋１２と後蓋１３とが蝶番１４で折れ曲がり可能に連結されていても、鍵盤蓋３を開くときに、後蓋１３の前部１３ａと前蓋１２の後部１２ｂとの下がりを防ぎながら良好に鍵盤蓋３を開閉することができる。この場合、傾き規制部２５が所定の高さ位置に設置されていることにより、後蓋１３の前部１３ａが上がり過ぎて前蓋１２が楽器ケース１の天板８に当接したり、また後蓋１３の前部１３ａが下がり過ぎて後蓋１３や前蓋１２が鍵盤部２に当接したりするのを確実に防ぐことができ、これにより正確に且つ良好に鍵盤蓋３を開閉することができる。
【００５３】
また、この鍵盤蓋３の開閉機構では、鍵盤蓋３を開いて後蓋１３が起立するときの後蓋１３の衝撃を吸収して後蓋１３の後部１３ｂ側を保持するダンパー部材１８を備えていることにより、鍵盤蓋３を開いて後蓋１３を斜め下方に向けて移動させて起立させるときに、後蓋１３が次第に重くなって急速に移動するのをダンパー部材１８によって防ぐことができ、これにより後蓋１３の衝撃を吸収することができる。また、後蓋１３が起立した状態で収納されていても、この後蓋１３を引き上げながら鍵盤蓋３を閉じるときに、ダンパー部材１８の反力によって後蓋１３を軽い力で引き上げることができ、これにより鍵盤蓋３を常にほぼ一定の力で安定した状態で開閉させることができるので、安全性が高く、使い勝手の良いものを得ることができる。
【００５４】
さらに、ガイド部材１７の第１ガイド部１５の前部には、鍵盤蓋３を閉じるときの前蓋１２の衝撃を緩和するトーションばね３６が設けられていることにより、鍵盤蓋３が完全に閉まるときに、トーションばね３６によって前蓋１２の衝撃を緩和することができるので、前蓋１２が急激に閉じるのを防ぐことができ、これにより前蓋１２の前部１２ａで手や指を挟むことがなく、安全に鍵盤蓋３を閉じることができる。また、後蓋１３の後部１３ｂには、鍵盤蓋３を閉じたときに後蓋１３の後部１３ｂと楽器ケース１の天板８との間の隙間を塞ぐ防護部材３８が設けられていることにより、鍵盤蓋３を閉じた状態のときに、後蓋１３の後部１３ｂと楽器ケース１の天板８との間の隙間からごみなどの異物が楽器ケース１内に侵入するのを防ぐことができる。
【００５５】
なお、上記実施形態では、第１ガイド部１５の前部に鍵盤蓋３を閉じるときの前蓋１２の衝撃を緩和するトーションばね３６を設けた場合について述べたが、これに限らず、例えば図１０に示すように、第１ガイド部１５の前蓋ガイド部材２１における第１ガイド溝部２１ａの先端部を先細のほぼＶ字形状の溝部４０に形成し、その内面に緩衝材４１を設けることにより、鍵盤蓋３を閉じるときの前蓋１２の衝撃を緩和するように構成しても良い。
【図面の簡単な説明】
【００５６】
【図１】この発明を適用した鍵盤楽器において鍵盤蓋を閉じた状態を示した断面図である。
【図２】図１において鍵盤蓋を開き始めて後蓋が折れ曲がる状態を示した断面図である。
【図３】図２において更に鍵盤蓋を開いて後蓋が折れ曲がりながら斜め下方に移動する状態を示した断面図である。
【図４】図３において鍵盤蓋が完全に開いて後蓋が起立した状態を示した断面図である。
【図５】図１の前蓋と第１、第２ガイド部を示した要部の分解斜視図である。
【図６】第２ガイド部材に設けられた傾き規制部に後蓋が当接して移動する状態を示した要部の側面図である。
【図７】図５の第１ガイド部の前端部にトーションばねを設けた部分を破断して示した要部の斜視図である。
【図８】図３の状態で傾き規制部が所定位置よりも高い位置に設置された場合を示した断面図である。
【図９】図３の状態で傾き規制部が所定位置よりも低い位置に設置された場合を示した断面図である。
【図１０】図６に示したトーションばねに代えて前蓋の衝撃を緩和する緩衝機能部の変形例を示した要部の斜視図である。
【符号の説明】
【００５７】
１  楽器ケース
２  鍵盤部
３  鍵盤蓋
１２  前蓋
１３  後蓋
１４  蝶番
１５  第１ガイド部
１６  第２ガイド部
１８  ダンパー部材
２０  第１ガイド軸部
２１  第１ガイド溝部
２３  前側ガイド部材
２４  後側ガイド部材
２５  傾き規制部
２６  第２ガイド軸部
２７  第２ガイド溝部
２８  ピニオン
２９  ラック
３０  ピニオンガイド溝部
３１  ピニオン軸
３６  トーションばね
３８  防護部材
４０  ほぼＶ字形状の溝部
４１  緩衝材
【図１】
0004650308.tif 000002
【図２】
0004650308.tif 000003
【図３】
0004650308.tif 000004
【図４】
0004650308.tif 000005
【図５】
0004650308.tif 000006
【図６】
0004650308.tif 000007
【図７】
0004650308.tif 000008
【図８】
0004650308.tif 000009
【図９】
0004650308.tif 000010
【図１０】
0004650308.tif 000011